(57)【要約】      （修正有）【課題】眼鏡店での耳掛け部の面倒な調整作業が不要で、眼鏡の掛け心地が良く眼鏡がずり落ちることがない眼鏡フレームのテンプルを提供する。【解決手段】前部テンプル部１１の後端部には長手方向に嵌挿穴を形成し、後部テンプル部１２には長手方向に嵌挿孔を形成する。該後部テンプル部１２は前部テンプル部１１の延長線より内方に位置し、かつ下方に垂下してなり、前部テンプル部１１の嵌挿穴には、内部を中空とした短管を嵌挿する。後部テンプル部の嵌挿孔には、耳掛け部１３の形状に沿うように屈曲すると共に、前端部を少し径大とした細長の針金を嵌挿し、前部テンプル部１１の短管に後部テンプル部１２の針金の前端部の径大部を嵌挿して、前記短管と前部テンプル部１１の後端部とをネジで締付け固定する。また、耳掛け部１３は、内方へは曲がらず外方へは曲がると共に、常時には内方へ復帰するように付勢する。【選択図】図１
0003173752.tif 000002
【実用新案登録請求の範囲】
【請求項１】
フロント部の両端側に継手部を介してテンプルが回動自在に取り付けられていると共に、前記テンプルは、継手部と接続した前部テンプル部と、耳掛け部を有する後部テンプル部とに分割してなる眼鏡フレームのテンプルであって、
前記前部テンプル部の後端部には長手方向に嵌挿穴を形成する一方、後部テンプル部には長手方向に嵌挿孔を形成すると共に、該後部テンプル部は前部テンプル部の延長線より内方に位置し、かつ下方に垂下してなり、
前記前部テンプル部の嵌挿穴には、内部を中空とした短管を嵌挿する一方、
後部テンプル部の嵌挿孔には、耳掛け部の形状に沿うように屈曲すると共に、前端部を少し径大とした細長の針金を嵌挿し、
前部テンプル部の短管に後部テンプル部の針金の前端部の径大部を嵌挿して、前記短管と前部テンプル部の後端部とをネジで締付け固定してあり、
前記耳掛け部は、内方へは曲がらず外方へは曲がると共に、常時には内方へ復帰するように付勢されていることを特徴とする眼鏡フレームのテンプル。
【請求項２】
前記針金は屈曲自在なステンレス鋼等の弾性素材で形成されると共に、該針金の前端部の径大部には耳掛け部が内方へは曲がらず外方へは曲がるのを許容する制御溝を形成してある一方、
前部テンプル部の短管の前部にはネジ穴を形成してあり、この短管を前部テンプル部の嵌挿穴に嵌合した状態において、該短管の嵌挿穴に針金の前端部を嵌合し、前部テンプル部に形成したネジ穴と短管のネジ穴とを一致させて外部よりネジで締付け固定すると共に、前記ネジの先端部を針金の径大部の制御溝に嵌入してあることを特徴とする請求項１に記載の眼鏡フレームのテンプル。
【請求項３】
前記針金の径大部周辺の外周と短管の嵌挿穴との間には、バネが設けてあることを特徴とする請求項１または２に記載の眼鏡フレームのテンプル。
【考案の詳細な説明】
【技術分野】
【０００１】
本考案は、老眼鏡などの視力矯正用眼鏡、サングラス、双眼式拡大鏡等のあらゆる眼鏡に使用される眼鏡フレームのテンプルに関する。
【背景技術】
【０００２】
この種の眼鏡フレームには色々な構成のものがあるが、一般的には、レンズを有するフロント部の中央をブリッジで連結すると共に、フロント部の両端側に継手部を介してテンプルが回動可能に取り付けられており、該テンプルの後方部を下向きに湾曲させて耳掛け部とし、前記フロント部の中央の裏側には鼻パットを設けたものである。
【０００３】
上記テンプルは、眼鏡販売店において、サイズの異なる複数のテンプルを用意しているものの、購入者の頭部にフィットするものは殆どない。そのため、眼鏡販売店では、テンプルの耳掛け部を加熱し軟化させてねじりを付与し、耳掛け部の向きを調整する面倒な作業を必要としていた。
【０００４】
この改善策として、特開平７−２４４２６２号公報（特許文献１）に記載の眼鏡フレームのテンプルが提案されている。
【０００５】
この特許文献１の眼鏡フレームのテンプルは、ヒンジ片を有する前側部分と耳掛け部を有する後側部分とに分割し、その前側部分に丸軸部を設け、該丸軸部を前記後側部分に形成された挿入孔に挿入してねじの締付けにより、前記前側部分と後側部分とを連結するものである。これにより、丸軸部を抜き差しし、あるいは丸軸部を切断して耳掛け部が耳に正しく係合するようにテンプルの長さを調節することができる。また、ねじを弛め、前側部分と後側部分とを丸軸部を中心として相対的に回転させることにより、後側部分に設けられた耳掛け部の向きを調整することができる。
【先行技術文献】
【特許文献】
【０００６】
【特許文献１】特開平７−２４４２６２号公報
【考案の概要】
【考案が解決しようとする課題】
【０００７】
しかしながら、前記特許文献１の眼鏡フレームのテンプルは、後側部分に設けられた耳掛け部の向きを調整する場合、眼鏡販売店において、ねじを弛め、前側部分と後側部分とを丸軸部を中心として相対的に回転させ最適な角度位置に向きが選定されたときに、前記ねじの締付けにより前側部分と後側部分とを連結するものであるため、向きの調整に面倒な作業と手間がかかるという問題があった。また、耳掛け部自体が設定角度以上に外側へ向きを変更することはできなかった。
【０００８】
本考案は、上記従来の問題を解消するために日夜研究の結果、案出したものであって、
本考案の耳掛け部は弾性を有し、内方へは曲がらないが外方へは曲がるようにしているため、特許文献１のテンプルのように、眼鏡販売店において、テンプルの前側部分と後側部分とを丸軸部を中心として相対的に回転させ最適な角度位置に向きを選定する手間や、ねじによる締め付け作業などは不要である。換言すれば、本考案は、眼鏡販売店において、耳掛け部の向きの面倒な調整の作業と手間がかからない上に、テンプルつまり耳掛け部が使用者の側頭部（耳）に片手で掛けたり外したりすることができるし、装着時に使用者の側頭部が痛むことがないばかりか、装着跡が側頭部に残ることがないし、眼鏡の掛け心地が良く眼鏡がずり落ちることがない等の利点を有する眼鏡フレームのテンプルを提供することを目的とする。
【課題を解決するための手段】
【０００９】
上記目的を達成するため、本考案の請求項１の眼鏡フレームのテンプルは、フロント部の両端側に継手部を介してテンプルが回動自在に取り付けられていると共に、前記テンプルは、継手部と接続した前部テンプル部と、耳掛け部を有する後部テンプル部とに分割してなる眼鏡フレームのテンプルであって、
前記前部テンプル部の後端部には長手方向に嵌挿穴を形成する一方、後部テンプル部には長手方向に嵌挿孔を形成すると共に、該後部テンプル部は前部テンプル部の延長線より内方に位置し、かつ下方に垂下してなり、
前記前部テンプル部の嵌挿穴には、内部を中空とした短管を嵌挿する一方、
後部テンプル部の嵌挿孔には、耳掛け部の形状に沿うように屈曲すると共に、前端部を少し径大とした細長の針金を嵌挿し、
前部テンプル部の短管に後部テンプル部の針金の前端部の径大部を嵌挿して、前記短管と前部テンプル部の後端部とをネジで締付け固定してあり、
前記耳掛け部は、内方へは曲がらず外方へは曲がると共に、常時には内方へ復帰するように付勢されていることを特徴とする。
【００１０】
請求項２の眼鏡フレームのテンプルは、前記針金は屈曲自在なステンレス鋼等の弾性素材で形成されると共に、該針金の前端部の径大部には耳掛け部が内方へは曲がらず外方へは曲がるのを許容する制御溝を形成してある一方、
前部テンプル部の短管の前部にはネジ穴を形成してあり、この短管を前部テンプル部の嵌挿穴に嵌合した状態において、該短管の嵌挿穴に針金の前端部を嵌合し、前部テンプル部に形成したネジ穴と短管のネジ穴とを一致させて外部よりネジで締付け固定すると共に、前記ネジの先端部を針金の径大部の制御溝に嵌入してあることを特徴とする。
この場合は、前記針金を弾性素材で形成し、その針金自身の弾性により、耳掛け部が内方へは曲がらず外方へは曲がると共に、常時には内方へ復帰するようにしたものである。
【００１１】
請求項３の眼鏡フレームのテンプルは、前記針金の径大部周辺の外周と短管の嵌挿穴との間には、バネが設けてあることを特徴とする。
この場合は、上記バネの作用により、耳掛け部が内方へは曲がらず外方へは曲がると共に、常時には内方へ復帰するようにしたものである。
【考案の効果】
【００１２】
本考案の請求項１の眼鏡フレームのテンプルよれば、前記前部テンプル部の後端部には長手方向に嵌挿穴を形成する一方、後部テンプル部には長手方向に嵌挿孔を形成すると共に、該後部テンプル部は前部テンプル部の延長線より内方に位置し、かつ下方に垂下してなり、前記前部テンプル部の嵌挿穴には、内部を中空とした短管を嵌挿する一方、後部テンプル部の嵌挿孔には、耳掛け部の形状に沿うように屈曲すると共に、前端部を少し径大とした細長の針金を嵌挿し、前部テンプル部の短管に後部テンプル部の針金の前端部の径大部を嵌挿して、前記短管と前部テンプル部の後端部とをネジで締付け固定してあり、前記耳掛け部は、内方へは曲がらず外方へは曲がると共に、常時には内方へ復帰するように付勢されていることから、特許文献１のテンプルのように、眼鏡販売店において、テンプルの前側部分と後側部分とを丸軸部を中心として相対的に回転させ最適な角度位置に向きを選定する手間や、ねじによる締め付け作業などは不要である。換言すれば、本考案は、眼鏡販売店において、耳掛け部の向きの面倒な調整の作業と手間がかからない上に、テンプルつまり耳掛け部が使用者の側頭部（耳）に片手で掛けたり外したりすることができるし、装着時に使用者の側頭部が痛むことがないばかりか、装着跡が側頭部に残ることがないし、眼鏡の掛け心地が良く眼鏡がずり落ちることがない等の利点を有する。
【００１３】
請求項２の眼鏡フレームのテンプルによれば、請求項１において、前記針金は屈曲自在なステンレス鋼等の弾性素材で形成されると共に、該針金の前端部の径大部には耳掛け部が内方へは曲がらず外方へは曲がるのを許容する制御溝を形成してある一方、前部テンプル部の短管の前部にはネジ穴を形成してあり、この短管を前部テンプル部の嵌挿穴に嵌合した状態において、該短管の嵌挿穴に針金の前端部を嵌合し、前部テンプル部に形成したネジ穴と短管のネジ穴とを一致させて外部よりネジで締付け固定すると共に、前記ネジの先端部を針金の径大部の制御溝に嵌入してあることを特徴とするから、前記針金自身の弾性作用と、ネジの先端部を針金の径大部の制御溝に嵌入する構成を採るだけで、請求項1の効果を有する。
【００１４】
請求項３の眼鏡フレームのテンプルによれば、請求項１または請求項２において、前記針金の径大部周辺の外周と短管の嵌挿穴との間には、コイルスプリング等のバネが設けてあることを特徴とするから、コイルスプリング等のバネ作用により、耳掛け部が内方へは曲がらず外方へは曲がると共に、常時には内方へ復帰するのが確実となる。また、請求項１と同様の効果を有する。
【図面の簡単な説明】
【００１５】
【図１】本考案に係る眼鏡フレームのテンプルの一例を採用した眼鏡全体の斜視図である。
【図２】本考案に係る眼鏡フレームのテンプルの一部分解斜視図である。
【図３】本考案に係る眼鏡フレームのテンプルの一部分解斜視図である。
【図４】前部テンプル部と後部テンプル部とを結合した状態での両テンプル部の結合周辺の縦断面図である。
【図５】図１の状態より耳掛け部が少し外方へ拡開された状態の斜視図である。
【図６】耳掛け部が外方へ任意の角度に拡開される状態を示した説明図である。
【図７】前部テンプル部と後部テンプル部の他の結合状態を示した両テンプル部の結合周辺の縦断面図である。
【考案を実施するための形態】
【００１６】
本考案の実施形態を図１〜図６に基づいて以下に説明する。
図１は本考案に係る眼鏡フレームのテンプルの一例を採用した眼鏡全体の斜視図、図２、図３は本考案に係る眼鏡フレームのテンプルの一部分解斜視図、図４は前部テンプル部と後部テンプル部とを結合した状態での両テンプル部の結合周辺の縦断面図、図５は図１の状態より耳掛け部が少し外方へ拡開された状態の斜視図、図６は耳掛け部が外方へ任意の角度に拡開される状態を示した説明図である。
【００１７】
図１において、１は眼鏡であって、この眼鏡１は、フロント部２には左右にレンズ３、３が嵌装されたレンズ枠４、４と、該レンズ枠４、４の内側同士間に架設されたブリッジ５とを有し、フロント部２の両端側には継手部６、６を介してテンプル１０、１０が回動自在に取り付けられている。そして、前記テンプル１０は、継手部６を有する前部テンプル部１１と、耳掛け部１３を有する後部テンプル部１２とに分割してある。また、フロント部２のレンズ枠４、４の裏側には、周知の鼻パット７、７が設けられている。
【００１８】
前部テンプル部１１は、合成樹脂で成形され、その後端部には長手方向に嵌挿穴１１ａを形成している。一方、後部テンプル部１２は、前部テンプル部１１と同様に、合成樹脂で成形され、その長手方向に嵌挿孔１２ａを形成すると共に、該後部テンプル部１２は前部テンプル部１１の延長線より内方に位置し、かつ下方に垂下している。
【００１９】
そして、前部テンプル部１１の嵌挿穴１１ａには、内部を中空とした短管２０を嵌挿する。この短管２０は、前述したように、中空であって、その中空部は後述する針金の前端部を嵌合する嵌挿穴２１であると共に、該短管２０の前部にはネジ穴２２を形成してある。
【００２０】
後部テンプル部１２の嵌挿孔１２ａには、耳掛け部１３の形状に沿うように内方へ屈曲すると共に、前端部を少し径大とした経大部３１を有する細長で屈曲自在な弾性素材からなるステンレス鋼製の針金３０を嵌挿している。また、この針金３０の径大部３１には耳掛け部１３が内方へ曲がらず外方へは曲がるのを許容する制御溝３２を形成してある。
【００２１】
前記短管２０を前部テンプル部１１の嵌挿穴１１ａに嵌合した状態において，該短管２０の嵌挿穴２１に針金３０の前端部(径大部３１を含む）を嵌合する。そして、前部テンプル部１１に形成したネジ穴１１ｂと短管２０のネジ穴２２とを一致させて、外部よりネジ２３で短管２０と前部テンプル部１１の後端部とを締付け固定すると共に、前記ネジ２３の先端部を針金３０の径大部３１の制御溝３２に嵌入するようにしてある。
【００２２】
従って、前記針金３０は、その弾性により、耳掛け部１３が、内方へは曲がらず外方へは曲がると共に、常時には内方へ復帰するように付勢されている。
【００２３】
この実施形態では、前記針金３０自身の弾性と、短管２０と、針金３０の径大部３１の制御溝３２と、ネジ２３とを上手に組み合わせることによって、本考案の効果を達成したものである。
【００２４】
本考案に係る眼鏡フレームのテンプルによれば、耳掛け部は、常態時には図１に示すように前部テンプル部１１の延長線より内方に位置しているが、当該眼鏡を耳に掛けようとすると、図６の左側に示すように、耳掛け部１３は、仮想線で示すように前記ネジ２３を回動中心として略９０°以上位まで外方へ曲げることができる。そのため、本考案に係るテンプルによれば、眼鏡販売店において耳掛け部を色々と調節する必要がないし、頭の大きさ（より具体的に言えば，左右両耳間の側頭部の長さ）の大小いかんに係わらず自動的に調節されて、耳掛け部１３が耳に円滑に心地よくかけられるし、片手でも眼鏡の掛け外しができるし、眼鏡がずり落ちることがなく、側頭部や耳の周りに掛けた跡が残らない。
なお、図５は図１の状態より耳掛け部が少し外方へ拡開された状態を示している。
【００２５】
図７は、前部テンプル部と後部テンプル部の他の結合状態を示した両テンプル部の結合周辺の縦断面図である。この場合は、前記針金３０の径大部３１周辺の外周と短管２０の嵌挿穴２１との間には、コイルスプリングからなるバネ４０が設けてあるものであり、前記バネ４０の一端４０ａは短管２０に形成した嵌挿穴２０ａに嵌装して固定してある。
このバネ４０の存在により、針金３０つまり耳掛け部１３が、内方へは曲がらず外方へは曲がると共に、常時には内方へ復帰するように付勢するのを強力にかつ確実に実施することができる。
【００２６】
なお、バネ４０として、図７ではコイルスプリングを採用したが、板バネなど他のバネでもよく、バネの種類やその組み付け構成は適宜設計変更できる。
【００２７】
本考案は、以上説明した実施形態に限定されるものではなく、請求項１〜３記載の範囲内において種々の設計変更ができるものである。
【符号の説明】
【００２８】
１      眼鏡
２      フロント部
５      ブリッジ
６      継手部
１０    テンプル
１１    前部テンプル部
１１ａ  嵌挿穴
１２    後部テンプル部
１２ａ  嵌挿孔
１３    耳掛け部
２０    短管
２１    嵌挿穴
２２    ネジ穴
２３    ネジ
３０    針金
３１    径大部
３２    制御溝
４０    バネ
【図１】
0003173752.tif 000003
【図２】
0003173752.tif 000004
【図３】
0003173752.tif 000005
【図４】
0003173752.tif 000006
【図５】
0003173752.tif 000007
【図６】
0003173752.tif 000008
【図７】
0003173752.tif 000009